【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
プロセスプラント内のプロセス制御の不一致を調整するためのコンピューティングデバイスであって、
１つ以上のプロセッサと、
非一時的コンピュータ可読媒体であって、前記１つ以上のプロセッサに連結され、前記１つ以上のプロセッサによって実行されると、前記コンピューティングデバイスに、
１つ以上のプロセス実体に対応する１つ以上のオブジェクトに対するランタイム値のセットを受信することであって、前記１つ以上のオブジェクトが、それぞれのオブジェクトパラメータのセットに対応する、受信することと、
前記１つ以上のプロセス実体に対応する前記１つ以上のオブジェクトに対する構成値のセットにアクセスすることと、
特定のオブジェクトに対応する前記オブジェクトパラメータのセット内の特定のオブジェクトパラメータに対するランタイム値と構成値との間の不一致を検出することと、
調整命令を受信することと、
前記調整命令に従って、プロセス制御環境を更新することと、を行わせる、構成アプリケーションを記憶する、非一時的コンピュータ可読媒体と、を備える、コンピューティングデバイス。
【請求項２】
前記構成アプリケーションが、前記コンピューティングデバイスに、
前記プロセスプラントに関連付けられた複数のオブジェクトのリストを提示することと、
前記１つ以上のオブジェクトの指標を受信することと、をさらに行わせる、請求項１に記載のコンピューティングデバイス。
【請求項３】
前記調整命令を受信するために、前記構成アプリケーションが、前記コンピューティングデバイスに、
ユーザインターフェースを介して前記調整命令を受信することであって、前記調整命令が、前記不一致を調整するために前記ランタイム値が使用されるべきであることを示す、受信することと、
前記特定のオブジェクトパラメータを前記ランタイム値であるように構成するために、前記特定のオブジェクトに対応する構成ファイルを更新することと、をさらに行わせる、
請求項１または２に記載のコンピューティングデバイス。
【請求項４】
前記調整命令を受信するために、前記構成アプリケーションが、前記コンピューティングデバイスに、
ユーザインターフェースを介して前記調整命令を受信することであって、前記調整命令が、前記不一致を調整するために前記構成値が使用されるべきであることを示す、受信することと、
前記特定のオブジェクトパラメータを前記構成値に変更するように、前記特定のオブジェクトのランタイムインスタンス化を更新することと、をさらに行わせる、請求項１または２に記載のコンピューティングデバイス。
【請求項５】
前記構成アプリケーションが、前記コンピューティングデバイスに、
ユーザが前記プロセスプラントに関連付けられた対象オブジェクトを修正しているという指標を受信することであって、前記１つ以上のオブジェクトが、前記対象オブジェクトに対する前記修正によって影響を受けたオブジェクトを含む、受信することをさらに行わせる、請求項１から４のいずれか１項に記載のコンピューティングデバイス。
【請求項６】
前記構成アプリケーションが、前記コンピューティングデバイスに、
前記ランタイム値のセットと前記構成値のセットとの間の複数の不一致を示すインターフェースを提示させること、をさらに行わせる、請求項１から５のいずれか１項に記載のコンピューティングデバイス。
【請求項７】
前記構成アプリケーションが、前記コンピューティングデバイスに、
前記インターフェースを介して、前記複数の不一致のうちの１つ以上に対する複数の調整命令を受信することと、
前記複数の調整命令に従って、前記プロセス制御環境を更新することと、をさらに行わせる、請求項６に記載のコンピューティングデバイス。
【請求項８】
前記ランタイム値が、前記構成値を修正した人物の指標に対応する、請求項１から７のいずれか１項に記載のコンピューティングデバイス。
【請求項９】
プロセスプラント内のプロセス制御の不一致を調整するための方法であって、
構成アプリケーションを実行している１つ以上のプロセッサによって、１つ以上のプロセス実体に対応する１つ以上のオブジェクトのためのランタイム値のセットを受信することであって、前記１つ以上のオブジェクトが、それぞれのオブジェクトパラメータのセットに対応する、受信することと、
前記１つ以上のプロセッサによって、前記１つ以上のプロセス実体に対応する前記１つ以上のオブジェクトのための構成値のセットにアクセスすることと、
前記１つ以上のプロセッサによって、特定のオブジェクトに対応する前記オブジェクトパラメータのセット内の特定のオブジェクトパラメータに対するランタイム値と構成値との間の不一致を検出することと、
前記１つ以上のプロセッサによって、調整命令を受信することと、
前記１つ以上のプロセッサによって、前記調整命令に従って、プロセス制御環境を更新することと、を含む、方法。
【請求項１０】
前記１つ以上のプロセッサによって、前記プロセスプラントに関連付けられた複数のオブジェクトのリストを提示することと、
前記１つ以上のプロセッサによって、前記１つ以上のオブジェクトの指標を受信することと、をさらに含む、請求項９に記載の方法。
【請求項１１】
前記調整命令を受信することが、前記１つ以上のプロセッサによって提示されたユーザインターフェースを介して、前記調整命令を受信することであって、前記調整命令が、前記不一致を調整するために前記ランタイム値が使用されるべきであることを示す、受信することをさらに含み、
前記プロセス制御環境を更新することが、前記特定のオブジェクトパラメータを前記ランタイム値であるように構成するために、前記１つ以上のプロセッサを介して、前記特定のオブジェクトに対応する構成ファイルを更新することをさらに含む、請求項９または１０に記載の方法。
【請求項１２】
前記調整命令を受信することが、前記１つ以上のプロセッサによって提示されたユーザインターフェースを介して、前記調整命令を受信することであって、前記調整命令が、前記不一致を調整するために前記構成値が使用されるべきであることを示す、受信することをさらに含み、
前記プロセス制御環境を更新することが、前記特定のオブジェクトパラメータを前記構成値に変更するように、前記１つ以上のプロセッサによって、前記特定のオブジェクトのランタイムインスタンス化を更新すること、をさらに含む、請求項９または１０に記載の方法。
【請求項１３】
前記１つ以上のプロセッサによって、ユーザが前記プロセスプラントに関連付けられた対象オブジェクトを修正しているという指標を受信することであって、前記１つ以上のオブジェクトが、前記対象オブジェクトに対する前記修正によって影響を受けたオブジェクトを含む、受信することをさらに含む、請求項９から１２のいずれか１項に記載の方法。
【請求項１４】
前記１つ以上のプロセッサによって、前記ランタイム値のセットと前記構成値のセットとの間の複数の不一致を示すインターフェースを提示させること、をさらに含む、請求項９から１３のいずれか１項に記載の方法。
【請求項１５】
前記インターフェースを介して、前記複数の不一致のうちの１つ以上に対する複数の調整命令を受信することと、
前記１つ以上のプロセッサによって、前記複数の調整命令に従って、前記プロセス制御環境を更新することと、をさらに含む、請求項１４に記載の方法。
【請求項１６】
非一時的コンピュータ可読記憶媒体であって、構成アプリケーションを実行している１つ以上のプロセッサによって実行されると、前記構成アプリケーションに、
１つ以上のプロセッサによって、１つ以上のプロセス実体に対応する１つ以上のオブジェクトに対するランタイム値のセットを受信することであって、前記１つ以上のオブジェクトが、それぞれのオブジェクトパラメータのセットに対応する、受信することと、
前記１つ以上のプロセッサによって、前記１つ以上のプロセス実体に対応する前記１つ以上のオブジェクトのための構成値のセットにアクセスすることと、
前記１つ以上のプロセッサによって、特定のオブジェクトに対応する前記オブジェクトパラメータのセット内の特定のオブジェクトパラメータに対するランタイム値と構成値との間の不一致を検出することと、
前記１つ以上のプロセッサによって、調整命令を受信することと、
前記１つ以上のプロセッサによって、前記調整命令に従って、プロセス制御環境を更新することと、を含む方法を行わせるように動作可能である命令を記憶する、非一時的コンピュータ可読記憶媒体。
【請求項１７】
前記ランタイム値が、前記構成値を修正した人物の指標に対応する、請求項９から１５のいずれか１項に記載の方法。